(57)【要約】【課題】水道料金軽減を目的とした、外部磁界を印加する不正使用に対し、対策を講じた水道メータを提供する。【解決手段】流量に正比例した回転数を発生する水車の回転数を、磁気センサにて検出する流量測定部１２０を有する水道メータにおいて、外部からの磁界を検出する磁気センサをさらに設け、当該磁気センサが外部からの磁界を検出した場合には、水路１１０の水流を遮断するようにした。【選択図】  図１
2008268081.tif 000002
【特許請求の範囲】
【請求項１】
水流を導通させる水路と、
外部から印加される磁界を検出する磁気検出手段と、
前記磁気検出手段が磁界を検出した場合には前記水路の水流を遮断する遮断手段と
を具備したことを特徴とする水道メータ。
【請求項２】
水流を導通させる水路と、
外部から印加される磁界を検出する磁気検出手段と、
前記磁気検出手段にて検出された磁界の継続時間を測定する外部磁界印加時間測定手段と
、
前記磁気検出手段が磁界を検出し、かつ、前記外部磁界印加時間測定手段にて測定された
磁界の継続時間が事前に設定された磁界検出時間以上である場合には、前記水路の水流を
遮断する遮断手段と
を具備したことを特徴とする水道メータ。
【請求項３】
前記水路により導通させられる水流の積算流量、瞬時流量を算出する計量値算出手段と、
前記計量値算出手段にて算出された積算流量、瞬時流量を交互に表示する表示部と、
前記磁気検出手段が磁界を検出し、かつ、前記外部磁界印加時間測定手段にて測定された
磁界の継続時間が事前に設定された磁界検出時間未満である場合には、積算流量、瞬時流
量を入れ替えて表示部に表示させる表示切替手段
を具備したことを特徴とする請求項２記載の水道メータ。
【請求項４】
前記外部磁界印加時間測定手段にて測定された磁界の継続時間を表示する表示部
を具備したことを特徴とする請求項２乃至３のいずれか1項記載の水道メータ。
【請求項５】
前記遮断手段にて前記水路を遮断している旨を表示する表示部
を具備したことを特徴とする請求項２乃至４のいずれか1項記載の水道メータ。
【請求項６】
外部機器との通信を行う通信部とを具備し
前記通信部を介し、前記事前に設定された磁界検出時間は外部機器から通信にて設定され
ることを特徴とする請求項２乃至５のいずれか1項記載の水道メータ。
【発明の詳細な説明】
【技術分野】
【０００１】
本発明は被測定系の使用水量等を測定する水道メータに関する。
【背景技術】
【０００２】
従来より、一般家庭、事業所の使用水量を測定する水道メータが普及してきている。当
該計量器は、被測定系の使用水量を検出し信号を出力する使用水量検出手段と、使用水量
検出手段にて出力された信号をデータに編集する制御部と、制御部にて編集されたデータ
を表示する表示部とを具備している。（例えば特許文献１）
【特許文献１】実開平５−２７６２５号公報（第４頁、図１）
【発明の開示】
【発明が解決しようとする課題】
【０００３】
従来より、一般家庭、事業所の使用水量を測定する水道メータが普及してきていること
は前述のとおりである。
【０００４】
水道メータの使用量検出手段は、水路を流れる水流の流量に正比例した回転数を発生す
る水車に磁石を設けておき、その水車の回転数を磁気センサにて検出し使用水量を算出す
る方式が用いられている。当該方式は磁気センサにて水車に設けられた磁石の磁界を検出
するものであり、仮に外部から強い磁界が印加されると、水車に設けられた磁石の磁界が
正確に検出されなくなってしまうという問題点があった。水道料金を軽減することを目的
として、水車に設けられた磁石の磁界を正確に検出できないように外部から強い磁界が印
加される場合があった。
【０００５】
本発明はこのような水道料金軽減を目的とした、外部磁界を印加する不正使用に対し、対
策を講じた水道メータを提供することを目的とする。
【課題を解決するための手段】
【０００６】
上記目的を達成するために、本発明による水道メータは、水流を導通させる水路と、
外部から印加される磁界を検出する磁気検出手段と、前記磁気検出手段が磁界を検出した
場合には前記水路の水流を遮断する遮断手段とを具備したことを特徴とする。
【発明の効果】
【０００７】
本発明によれば、水道料金軽減を目的とした、外部磁界を印加する不正使用に対し、対策
を講じた水道メータを提供することができる。
【発明を実施するための最良の形態】
【０００８】
以下、本発明の実施例を説明する。
【実施例１】
【０００９】
本発明による計量器の実施例１について図１を参照して説明する。
【００１０】
図１において、１００は水道メータ本体であり水道水を供給する水道管に接続される。
【００１１】
１１０は水路で、金属や樹脂等からなるパイプ等により構成され、外部からの水道水を
家庭内へ伝達する。
【００１２】
１２０は流量測定部で流量に正比例した回転数を発生する水車とその回転数を計数する
計数回路等にて構成されており、水路１１０に流れる水道水の流量を測定し流量に関する
データである流量データを作成し出力している。前記水車は、水路に設けられ、当該水路
を流れる流量に正比例した回転数を発生する。水車には磁石が取付けられており、その水
車に取付けられた磁石の回転が磁気センサにて検出され、当該回転数が流量に換算される
。
【００１３】
１３０はタイマ部で、水晶振動子を用いた時計回路等により構成されており、時間を計
数し電気信号として出力する。
【００１４】
１４０は通信部で、有線または無線のインタフェース回路により構成されており、外部
からの通信電文を受信する。
【００１５】
１５０は表示部で、液晶表示器等により構成されており、計量部１２０にて作成された
流量データをもとに編集された計量値である積算流量または瞬時流量を表示する。
【００１６】
１６０は磁気センサで、ホール素子またはリードスイッチ等により構成されており、外
部からの磁界を検出し電気信号として出力する。
【００１７】
１７０は遮断部で、ゴムパッキンを有する遮断弁などにより構成されており、水路１１
０を流れる水流を遮断する。
【００１８】
１８０は制御部で、マイクロコンピュータ等により構成されており、
流量測定部１２０にて作成された流量に関するデータである流量データを受信し、計量値
である積算流量ならびに瞬時流量を算出し、記憶する。また、制御部１８０は記憶してい
る計量値である積算流量または瞬時流量を表示部１５０に表示させる。さらに、制御部１
８０は、計数時間にかかる電気信号を、タイマ部１３０から受信する。制御部１８０は、
外部からの通信電文を、通信部１４０を介し受信する。また、制御部１８０は、電気信号
を外部からの磁界を検出した磁気センサ１６０から受信する。制御部１８０は、遮断部１
７０を制御し、水路１１０を流れる水流を遮断する。
【００１９】
次に、本実施例の動作について図２を参照しつつ説明する。図２は本実施例にかかる水
道メータのプログラムの流れを表わすフロー図である。本プログラムは制御部１８０内の
図示しないプログラムメモリ内に記憶され、制御部１８０の動作を制御している。
【００２０】
まず、制御部１８０は、磁気センサ１６０が、外部からの磁界を検出したかの判断を行
う（ステップ２０１）。磁気センサ１６０が外部からの磁界を検出していないと判断され
た場合、制御部１８０は、流量測定部１２０から、測定された流量に関するデータである
流量データを受信する（ステップ２０２）。流量測定部１２０は水路１１０に流れる流量
に正比例した回転数を発生する水車とその回転数を計数する計数回路等にて構成されてお
り、水路１１０に流れる流量を測定し流量データに変換し制御部１８０に伝達している。
【００２１】
制御部１８０は、流量測定部１２０から測定された流量に関するデータである流量デー
タを受信し、当該流量データから水路１１０に流れる計量値である積算流量ならびに瞬時
流量を算出し、表示部１５０に表示させる（ステップ２０３）。なお、積算流量、瞬時流
量はどちらか一方が選択され、表示部１５０に表示される。
【００２２】
表示部１５０に表示される計量値である積算流量、瞬時流量の表示の選択は、外部から操
作者が表示切替のための磁石を水道メータ本体１００に接近させることにより行われる。
【００２３】
磁気センサ１６０が外部から印加された磁界を検出したものと判断された場合（ステップ
２０１）、制御部１８０は、タイマ部１３０を制御し、当該磁界の継続時間を測定し（ス
テップ２０４）、予め設定された「磁界検出時間」以上（例えば１０秒等）であるかの判
断を行う（ステップ２０５）。測定された当該磁界の継続時間が、予め設定された「磁界
検出時間」未満であると判断された場合、制御部１８０は、外部から表示切替のため操作
者により磁石が水道メータ本体１００に接近されたと想定し、積算流量を表示していた場
合は瞬時流量を、瞬時流量を表示していた場合は積算流量を表示するよう、表示部１５０
を制御する。その結果、表示部１５０は、積算流量が表示されていた場合は瞬時流量の表
示に、瞬時流量が表示されていた場合は積算流量の表示に切り替えられる（ステップ２０
６）。その後、制御部１８０は、流量測定部１２０から流量に関するデータである流量デ
ータを受信し（ステップ２０２）、当該流量データから計量値である積算流量ならびに瞬
時流量を算出し、前記積算流量、瞬時流量のいずれかを表示部１５０に表示させる（ステ
ップ２０３）。
【００２４】
なお、ここで予め設定された「磁界検出時間」とは、外部の例えば通信機能を持ったハ
ンディターミナル等により無線電波や有線通信にて通信部１４０を介し設定されるものと
する。「磁界検出時間」は、例えば１０秒等の時間であり、操作者による表示切替のため
の磁石により印加された磁界であるか、不正使用目的で印加された磁界であるかを区別す
るための時間である。
【００２５】
当該磁界の継続時間が、予め設定された「磁界検出時間」以上であると判断された場合（
ステップ２０５）、制御部１８０は、外部から不正目的で磁石が、水道メータ本体１００
に近づけられたと想定し、当該磁界が継続して印加された時間を表示部１５０に表示する
（ステップ２０７）、
さらに、制御部１７０は、遮断部１７０を制御し水路１１０に流れる水流を遮断する（ス
テップ２０８）。また、水路１１０が遮断部１７０により遮断されている旨の表示を表示
部１５０に表示させる（ステップ２０９）。当該表示は、「遮断中」等の文字を表示する
ものや、計量値の表示をフリッカーさせるものであってもよい。なお、遮断の解除は、外
部から検針員等により手動にて行われるものとする。
【００２６】
本実施例を用いれば、水道料金軽減を目的とした、外部磁界を印加する不正使用に対し、
対策を講じた水道メータを提供することができる。不正目的で外部から磁石が水道メータ
本体１００に近づけられた場合、計量部１２０は磁石を持つ水車の回転を検出しているの
で、正確に当該水車の回転が検出されなくなる。不正目的と考えられる磁界を検出した場
合、水路１１０の水流を遮断するため不正使用を防止することができる。また、水路１１
０が遮断部１７０により遮断されている旨の表示が表示部１５０に表示されるため、不正
使用をやめるよう促す効果を期待することができる。
【００２７】
本実施例を用いれば、外部の例えば通信機能を持ったハンディターミナル等により任意の
値に「磁界検出時間」を設定することができるので便利である。例えば、操作者の癖によ
り、外部から表示切替のため磁石が水道メータ本体１００に接近される時間が長い場合に
は、当該「磁界検出時間」を長く設定しておけば、操作者による表示切替のための磁石に
より印加された磁界であるか、不正使用目的で印加された磁界であるかの区別が確実に行
えるようになり便利である。
【００２８】
本実施例を用いれば、印加された磁界の継続時間が表示部１５０に表示されるため、外部
から当該継続時間を把握することができるので便利である。
【００２９】
本発明を用いれば、水道料金軽減を目的とした、外部磁界を印加する不正使用に対し、対
策を講じた水道メータを提供することができる。
【図面の簡単な説明】
【００３０】
【図１】本発明による水道メータの実施例１の構成を示す内部構成図
【図２】本発明による水道メータにかかるプログラムを示すフロー図
【符号の説明】
【００３１】
１００    水道メータ本体
１１０    水路
１２０    計量部
１３０    タイマ部
１４０    通信部
１５０    表示部
１６０    磁気センサ
１７０    遮断部
１８０    制御部
【図１】
2008268081.tif 000003
【図２】
2008268081.tif 000004